【事件の表示】
　特願２００９−５０２８９１「タイヤ用パンクシール剤及びそれを製造する工程」拒絶査定不服審判事件〔平成１９年１０月　４日国際公開、ＷＯ２００７／１１２０１０、平成２１年　９月　３日国内公表、特表２００９−５３１５２０〕について、次のとおり審決する。
【結　論】
　本件審判の請求は、成り立たない。
【理　由】
１　手続の経緯 
　本願は、２００７年３月２２日（パリ条約による優先権主張外国庁受理２００６年３月２４日、米国）を国際出願日とする出願であって、平成２０年１１月２５日に翻訳文が提出され、平成２４年７月２０日付けで拒絶理由が通知され、平成２５年１月２４日付けで意見書及び手続補正書が提出され、同年２月１２日付けで拒絶査定がなされ、これに対し同年６月１８日付けで拒絶査定不服審判の請求がなされたものである。
　
２　本願発明について 
　本願の請求項１ないし４１に係る発明は、平成２５年１月２４日付けの手続補正書により補正された特許請求の範囲の請求項１ないし４１にそれぞれ記載された事項によって特定されるものと認められるところ、その請求項１に係る発明（以下「本願発明」という。）は、次のとおりのものである。
　
　「パンクシール剤において、
　グリセリン凍結防止剤と混合されている、天然ゴムと合成ゴムの内の一方を含んでいるゴム乳濁液を備えており、
　前記パンクシール剤組成物の総重量に対する前記グリセリン凍結防止剤の割合は、５から７５重量％の間にある、パンクシール剤。」　
　
３　引用刊行物及びその記載事項
（１）原査定の拒絶の理由に引用された、本願の優先日前に頒布された刊行物である特開２００５−１７０９７３号公報（以下「引用例１」という。）には、次の事項が図とともに記載されている。
　
　ア　「【００１１】
  本発明のパンクシーリング剤は、少なくとも、ゴムラテックス溶液と短繊維とを含有する。さらに、クレイ系増粘剤を含有している。
【００１２】
  本明細書において、「ゴムラテックス溶液」とは、ゴムポリマーの粒子が分散した懸濁液で、短繊維を除いた状態のパンクシーリング剤をいう。例えば、本発明のパンクシーリング剤が、短繊維、ゴムラテックス、不凍液および増粘剤で構成されている場合、ゴムラテックス溶液とは、ゴムラテックス、不凍液および増粘剤の混合物をいう。
【００１３】
（クレイ系増粘剤）
  クレイ系増粘剤は、ゴムラテックス溶液の粘度を適正な範囲に調整するために含有される。スメクタイトクレイ等の粘度鉱物を用いたクレイ系増粘剤では、スメクタイト薄片が水和し、エッジ部は弱い「＋」、表面は弱い「−」の電荷をおびる。この電荷で、スメクタイトが立体構造をとることで増粘する。上記のような機構で増粘するため、ラテックスの凝集はおこさない。
  これに対し、従来技術であるメチルセルロース等の水溶性高分子を用いた増粘では、ラテックスと相互作用して粒径が１μｍの粒を形成して増粘してしまうことが多い。
【００１４】
  クレイ系増粘剤としては、既述のスメクタイト（モンモリロナイト（ベントナイト）を含む）の他、アタパルジャイト、カオリン（カオリナイト）等があり、さらに、スメクタイトを４級アンモニウム有機コンパウンドと反応させて作る有機ベントナイトクレイのような有機物で修飾したクレイが挙げられる。それぞれの鉱物、結晶構造、粒子径等の特徴から用途に合わせて選択することが好ましい。」
　
　イ　「【００４３】
（凍結防止剤）
  本発明のパンクシーリング剤は、凍結防止剤を含有していることが好ましい。凍結防止剤としては、特に限定されず、エチレングリコール、プロピレングリコール等を使用することができる。パンクシーリング剤中の凍結防止剤の含有量は、５〜５０質量％であることが好ましい。５質量％未満では、低温での凍結防止性が十分に得られないことがあり、５０質量％を超えると、ゴムラテックス量に対して、グリコール量が多くなるため、パンク補修時に、凝集したゴムラテックスの粒がグリコール中に分散した状態として存在するため、十分なシール特性が得られないことがある。」
　
　ウ　「【００４８】
〔実施例１〕
  下記（１）〜（５）の材料をプロペラミキサーにて混合して、パンクシーリング剤を作製した。なお、２０℃でのゴムラテックス溶液の粘度は１０００ｍＰａ・ｓ（撹拌子：ＢＬ３，６０ｒｐｍにより測定）であり、＋５０℃〜−２０℃の温度域で３〜６０００ｍＰａとなるように調整した。
【００４９】
（１）ゴムラテックス・・・ＮＢＲ系ラテックス（日本ゼオン社製、Ｎｉｐｏｌ）、パンクシーリング剤中の含有量：６５質量％
（２）短繊維・・・ナイロン繊維、パンクシーリング剤中の含有量：２質量％、短繊維の長さ：２〜７ｍｍ、短繊維の太さ：５〜３０μｍ
（３）不凍液・・・エチレングリコール、パンクシーリング剤中の含有量：２５質量％
（４）増粘剤・・・スメクタイトクレイ、パンクシーリング剤中の含有量：２質量％
（５）その他・・・残部として水」
　
（２）原査定の拒絶の理由に引用された、本願の優先日前に頒布された刊行物である特開平１１−３０２６２９号公報（以下「引用例２」という。）には、次の事項が図とともに記載されている。
　
　ア　「【請求項１】  インフレイタブルな物品と、その内部に配されたパンク自己封止用組成物とを含み、前記パンク自己封止用組成物が、二次元フィブリドの懸濁液を含有するパンク自己封止型のインフレイタブルな製品。
……
【請求項５】  前記懸濁液が凍結防止剤を含有する請求項１記載のパンク自己封止型のインフレイタブルな製品。
……
【請求項１１】  前記凍結防止剤が、エチレングリコール、ジエチレングリコールおよびグリセリンよりなる群から選択される請求項５記載のパンク自己封止型のインフレイタブルな製品。」　
　
　イ　「【０００１】
【発明の属する技術分野】本発明は、平面型フィブリドを含有したパンク自己封止用組成物からなるパンク自己封止型のインフレイタブルな製品に関するもので、特に、凍結防止剤および固形物を少量使用するだけで、優れた流動性と持続性のある封止効果を得ることができ、自転車のタイヤおよびバイクや自動車のチューブ入りあるいはチューブレスタイヤの空気漏れ防止または封止に広く応用できるようなパンク自己封止型のインフレイタブルな製品に関するものである。」　
　
（３）原査定の拒絶の理由に引用された、本願の優先日前に頒布された刊行物である特開昭５３−４９０３号公報（以下「引用例３」という。）には、次の事項が記載されている。
　
　ア　「２．特許請求の範囲
（１）樹脂又はゴムの水溶液に樹脂又はゴムをゼリー状にゲル化した粒状物を混合したことを特徴とする自動車等のパンク防止剤」（１頁左下欄４〜７行）
　
　イ　「本発明は自転車、自動車等の空気入りタイヤ及びチューブのパンク防止剤とその製造法に係るもので、パンクと同時にその個所が閉塞されてチューブ内の圧力がほとんど低下することがなく、継続してそのまま安全運転が出来るようにした点を特徴とするものである。」（１頁左下欄１５行〜右下欄２行）
　
　ウ　「然して上記水溶液中に更にグリセリン及びメタノールを加えることがあり、これ等を添加したものは氷点が低下するので寒冷地に於いて使用した場合顕著な効果を奏す。」（２頁右上欄１５〜１８行）
　
４　引用例１に記載された発明
（１）引用例１には、摘示（１）ア「【００１１】本発明のパンクシーリング剤は、少なくとも、ゴムラテックス溶液と短繊維とを含有する。さらに、クレイ系増粘剤を含有している。
【００１２】本明細書において、「ゴムラテックス溶液」とは、ゴムポリマーの粒子が分散した懸濁液で、短繊維を除いた状態のパンクシーリング剤をいう。例えば、本発明のパンクシーリング剤が、短繊維、ゴムラテックス、不凍液および増粘剤で構成されている場合、ゴムラテックス溶液とは、ゴムラテックス、不凍液および増粘剤の混合物をいう。」及び摘示（１）ウ「【００４８】〔実施例１〕
 下記（１）〜（５）の材料をプロペラミキサーにて混合して、パンクシーリング剤を作製した。なお、２０℃でのゴムラテックス溶液の粘度は１０００ｍＰａ・ｓ（撹拌子：ＢＬ３，６０ｒｐｍにより測定）であり、＋５０℃〜−２０℃の温度域で３〜６０００ｍＰａとなるように調整した。
【００４９】（１）ゴムラテックス・・・ＮＢＲ系ラテックス（日本ゼオン社製、Ｎｉｐｏｌ）、パンクシーリング剤中の含有量：６５質量％
（２）短繊維・・・ナイロン繊維、パンクシーリング剤中の含有量：２質量％、短繊維の長さ：２〜７ｍｍ、短繊維の太さ：５〜３０μｍ
（３）不凍液・・・エチレングリコール、パンクシーリング剤中の含有量：２５質量％
（４）増粘剤・・・スメクタイトクレイ、パンクシーリング剤中の含有量：２質量％
（５）その他・・・残部として水」が記載されている。
　
（２）上記（１）から、引用例１には、以下の発明（以下「引用発明」という。）が記載されていると認められる。
　
　「少なくとも、ゴムラテックス溶液と短繊維とを含有し、さらに、クレイ系増粘剤を含有しているパンクシーリング剤であって、ゴムラテックス溶液とは、ゴムポリマーの粒子が分散した懸濁液で、短繊維を除いた状態のパンクシーリング剤をいい、
　下記（１）〜（５）の材料をプロペラミキサーにて混合して作製したパンクシーリング剤。
（１）ゴムラテックス・・・ＮＢＲ系ラテックス（日本ゼオン社製、Ｎｉｐｏｌ）、パンクシーリング剤中の含有量：６５質量％
（２）短繊維・・・ナイロン繊維、パンクシーリング剤中の含有量：２質量％、短繊維の長さ：２〜７ｍｍ、短繊維の太さ：５〜３０μｍ
（３）不凍液・・・エチレングリコール、パンクシーリング剤中の含有量：２５質量％
（４）増粘剤・・・スメクタイトクレイ、パンクシーリング剤中の含有量：２質量％
（５）その他・・・残部として水」
　
５　対比 
　本願発明と引用発明とを対比する。 
（１）引用発明の「ＮＢＲ系ラテックス（日本ゼオン社製、Ｎｉｐｏｌ）」、「ゴムラテックス溶液」及び「パンクシーリング剤」は、それぞれ、本願発明の「合成ゴム」、「ゴム乳濁液」及び「パンクシール剤」に相当する。
（２）引用発明の「『不凍液』としての『エチレングリコール』」と本願発明の「『凍結防止剤』としての『グリセリン』」とは、凍結防止剤である点で一致する。
（３）引用発明の「ゴムラテックス溶液」とは、ゴムポリマーの粒子が分散した懸濁液で、短繊維を除いた状態のパンクシーリング剤をいい、不凍液であるエチレングリコールの該パンクシーリング剤中の含有量は２５質量％であり、引用発明の「パンクシーリング剤」は、少なくとも、前記ゴムラテックス溶液と短繊維とを含有し、さらに、クレイ系増粘剤を含有しているものであるから、引用発明の「パンクシーリング剤」と本願発明の「パンクシーリング剤」とは、凍結防止剤と混合されている、合成ゴムを含んでいるゴム乳濁液を備えており、
　パンクシール剤組成物の総重量に対する前記凍結防止剤の割合は、２５重量％である点で重複する。
　
（４）上記（１）及び（２）から、本願発明と引用発明とは、
　「パンクシール剤において、
　凍結防止剤と混合されている、合成ゴムを含んでいるゴム乳濁液を備えており、
　パンクシール剤組成物の総重量に対する前記凍結防止剤の割合は、２５重量％である、パンクシール剤」
である点で一致し、次の点で相違する。
　
相違点：
　本願発明は、凍結防止剤が、「グリセリン」であるのに対して、引用発明は、エチレングリコールである点。
　
６　判断
　上記相違点について検討する。
（１）引用例１には、「（凍結防止剤）本発明のパンクシーリング剤は、凍結防止剤を含有していることが好ましい。
凍結防止剤としては、特に限定されず
等を使用することができる
　
（２）凍結防止剤としてグリセリンを含有したパンクシール剤は、本願の優先日前に周知のものである（以下「周知技術」という。例．引用例２及び３参照）。
　
（３）上記（１）及び（２）に照らし、引用発明において、不凍液としてエチレングリコールに代えて、グリセリンを用いることは、当業者が引用例１に記載された事項及び周知技術に基づいて容易になし得たことといえる。
　
（４）効果について
　本願明細書の表１の事例Ａ及びＢ、表２の事例１〜８並びに表３の事例１及び２等を参酌しても、パンクシール剤に含有される凍結防止剤として、グリセリンがエチレングリコールに比べ、優れた効果を奏することを実証する具体的データは明らかにされていない。
　したがって、本願発明は、パンクシール剤に含有される凍結防止剤としてグリセリンを用いる点に格別の効果を奏するものとは認められない。　
　
（４）まとめ
　よって、本願発明は、当業者が、引用例１に記載された発明、引用例１に記載された事項及び周知技術に基づいて容易に発明をすることができたものである。
　
７　むすび
　以上のとおり、本願発明は、当業者が、引用例１に記載された発明、引用例１に記載された事項及び周知技術に基づいて容易に発明をすることができたものであるから、その余の点について検討するまでもなく、特許法第２９条第２項の規定により特許を受けることができない。
　よって、結論のとおり審決する。